(57)【要約】【課題】  剥離可能、剥離後容易に再接着しない疑似接着手段を具備した情報通信体の製造方法において、製造中の校正作業を楽に行える情報通信体の再接着手段を提供する。【解決手段】  加熱、加圧処理工程の上流側の搬送ローラＲの位置に対応するヒーターカバー５の部分に情報通信体を挿入できるスリット６を設ける。【選択図】        図２
2005053204.tif 000002
【特許請求の範囲】
【請求項１】
折り線を介して連接された複数の紙片を折り畳みあるいは切り重ね任意の対向面同士を加熱、加圧処理を施すことにより疑似接着する情報通信体の製造方法において、製造した情報通信体を一旦剥離した後に再度疑似接着するため前記加熱処理工程の最上流に再び挿入する手段を設けたことを特徴とした情報通信体の再接着手段。
【発明の詳細な説明】
【発明の詳細な説明】
【技術分野】
【０００１】  本発明は、ＤＭをはじめとして葉書、往復葉書、封書等に利用可能な情報通信体の再接着手段に関する。さらに詳しくは、見掛けは通常のＤＭ、葉書、往復葉書、封書であるにもかかわらず、剥離可能、剥離後容易に接着できないように積層された情報通信体の再接着手段に関する。
【背景技術】
【０００２】  近年、葉書等の郵便物において、情報が記載された複数の紙片を折り畳みあるいは切り重ねて輸送可能にした情報通信体が多用されている。
そのような情報通信体の製造方法として、例えば特開平５−３８８９４号の「簡易書簡の連続製造装置」がある。【０００３】  前記密着書簡の製造装置で製造される密着書簡は、例えば一時接着された２層の透明フィルムの両外側に感熱接着剤層を設けた４層構成の積層シート（以下疑似接着シートという）を、折り畳まれた葉書用紙材の対向紙面間に挿入し加熱、加圧処理を施し各紙片を剥離可能に一体化するものである。【０００４】  ところで前記疑似接着シートは熱可塑性樹脂の加熱時の濡れによる一時的な接着を利用している。
すなわち、前記製造装置で製造された密着書簡を剥離した後に再び折り畳み、ラミネーター等の加熱、加圧処理を施せば簡単に疑似接着を再生することができるのである。
従って、現場では製造された密着書簡の状態を校正（紙片と疑似接着フィルムの接着性や疑似接着フィルムの挿入位置の確認等）し、再度製造装置と別に用意したラミネーターにより疑似接着を再現して製品出荷していた。【０００５】  しかしこの方法では、新たに高価なラミネーターを用意する必要があることや、住所やナンバーリング等により製造順序が規定された製品の場合に、作業を中断して順序通りに製品を入れ替え直さなければならない不都合が生じる。作業者としては製造している途中で校正と再接着を簡単に行いたいところである。
そこで校正後すかさず前記製造装置の加熱、加圧処理工程に再度通すことが考えられる。そうすれば僅かな校正時間で製品の積載順序を違えることがなく作業を続行することができるからである。
しかしこの方法では、回転するカッター刃やゴムローラー等の駆動部分が近接する僅かな隙間に手を入れなければならず非常に危険である。
この発明は上記問題に鑑み、作業を必要以上に中断することなく製品の順序入れ替え等の不必要な作業を省くと共に回転するカッター刃やローラー等による事故の心配がない情報通信体の再接着手段を提供するものである。
【課題を解決するための手段】
【０００６】  上記目的を達成するために、本発明に係る情報通信体の再接着手段は、折り線を介して連接された複数の紙片を折り畳みあるいは切り重ね任意の対向面同士を加熱、加圧処理を施すことにより疑似接着する情報通信体の製造方法において、製造した情報通信体を一旦剥離した後に再度疑似接着するため前記加熱処理工程の最上流に再び挿入する手段を設けたことを特徴としている。
【０００７】  加熱、加圧処理工程は図１に示すように、複数の搬送ローラＲ群とヒートプレートＨ群が交互に上下対象に配置されている。そのような製造装置を使用する作業者は、作業中に製造した情報通信体を一旦剥離する。そして紙面と疑似接着フィルムとの接着状態や疑似接着フィルムの位置を確認後再び折り合わせて加熱、加圧処理に掛ける。この際例えば前記製造装置においては、最初のヒートプレートＨの上流側に設けられた最初の上下の搬送ローラＲ、Ｒ間に挟み込ませて下流へ流せば当初の疑似接着が再現され、ストッカ７に順番通り積載されるので引き続き作業を再開することができるのである。
【０００８】  上記上下の搬送ローラＲ、Ｒ間に一旦剥離した情報通信体を、カットローラ４のカッター刃やローラ等の駆動部分を気にすることなく安全に挟み込ませる方法として、例えば加熱処理工程を上部から覆うヒーターカバー５の要所に情報通信体を差し込めるスリットを設ければよい。このスリットから折り合わせた情報通信体を上下の搬送ローラー間に挟み込まれる位置まで差し込めばよいのである。その場合情報通信体を確実に上下の搬送ローラＲ、Ｒ間に挟み込ませることが可能な位置に案内するガイド等を設けておけばさらに操作がしやすくなる。
【発明を実施するための最良の形態】
【０００９】  図１は従来の情報通信体の製造装置における裁断、加熱及び加圧処理工程を示す概略図を表す。図２は本発明の挿入手段の概略図を表す。図３は加熱、加圧処理の別の形態を示す概略図を表す。図４は本実施例で使用する加工前の２つ折り葉書用長尺シートの斜視図を表す。
以下本発明を図面と共に説明する。
図４に示すように、例えば葉書サイズの用紙が折り線を介して横方向に連接された用紙がさらに縦方向に連接された長尺シートを２つ折りに折り畳むと共に、その対向紙片間に疑似接着フィルムを挿入した状態で図１左側上流の工程から搬送されてくる。そして同図中左に位置するカットローラ４及びバックアップローラ３（前後ニップローラ１、２が配置されている）により葉書サイズにカット（図４において破線部分でカットすると葉書１枚分のサイズになる）された後に、続く搬送ローラＲ群やヒートプレートＨ群及び加圧ローラ６からなる加熱、加圧処理工程を通過し、最終的にベルトコンベア等を装備するストッカ７に順番に積載される。【００１０】  校正作業に際しては作業者は製造中に一旦システムを停止する。停止されたシステムは加熱、加圧処理工程の内部に残る２つ折り葉書を全て排出してから停止するようプログラムされており、作業者は最終的に排出された２つ折り葉書を剥離して、紙面と疑似接着フィルムとの接着性や疑似接着フィル厶の挿入位置を確認する。異常がなければ再び折り合わせ、図２に示すように加熱、加圧工程の最上流に設けられたヒーターカバー５のスリットＳからガイド８、８に沿わせ、最前列上下の搬送ローラＲ、Ｒに挟み込まれる位置まで挿入し、その状態で加熱、加圧処理工程を始動すればそのまま搬送ローラＲ、Ｒに挟み込まれて下流へ搬送される。
校正を終えた２つ折り葉書Ｊは上記処理により再び疑似接着され、作業の流れに沿って順番通りストッカ７に積載される。【００１１】  校正でミスが発見された場合、修正のため各ヒータプレートＨの温度調節や疑似接着フィルムの位置調整を行う。そして疑似接着フィルムがはみ出している等の最悪状態の場合、別に事前に用意された同一の葉書用紙に、予め葉書用紙に合わせてカットされた疑似接着シートを挟み込んで、前記スリットＳに挿入し加熱、加圧処理工程を通すことにより、ミスした２つ折り葉書Ｊの代替え品が製造されて順番に積載されるのである。
そしてその後通常通りに作業を再開すれば、何ら積載順序に関しての心配はないのである。【００１２】  なお本発明は上記実施例に限定されるものではない。
例えば加熱、加圧処理工程が図３に示すように前後のヒートプレートＨ、Ｈ間に２本の搬送ローラＲ、Ｒが設られている場合には、任意のヒートプレートＨ、Ｈ間に設けてある２本の搬送ローラＲ、Ｒ間での挿入が可能になる。
当然挿入口が複数の個所設けられていても構わない。
また挿入口の形状はスリットを初めもっと広い開口部にしてもよく、その部分にカバー１１（図２を参照）を設けておき必要時に開いて使用するようにしてもよい。
さらに挿入用のガイド８の形状や材質に制限はなく、要は上下の搬送ローラに挟み込まれるように角度やカーブが取られていればよいのである。
本実施例では情報通信体として２つ折り葉書の例で説明したが、情報通信体の形態に制限はない。例えば３紙片を断面Ｚ字状やＣ字状に折り畳んた３つ折りの形態でも構わず、それ以上の紙片を折り畳んだり切り重ねたものであっても構わない。そのような場合全ての紙片間を疑似接着する必要はなく、両面接着フィルム等により完全接着しても或いは何も施さず未接着のままでもよい。
また本発明は疑似接着手段として疑似接着フィルムを挿入する方法のみならず、予め疑似接着予定面に疑似接着フィルムをラミネートし、最終的に対向面の疑似接着フィル厶同士を加熱、加圧処理により疑似接着する形態のものや、疑似接着性の樹脂等を疑似接着予定面に塗工等により塗布し疑似接着性の被膜を形成する形態のものにも応用できる。
【発明の効果】
【００１３】  本発明の挿入手段によれば、使用中の製造機を流用して同じ作業の流れの中で校正が行えるため必要以上に作業を中断することがなくなる。
また製品の積載順序を入れ替える必要がなく、さらに回転するカッター刃やローラ等の駆動部に巻き込まれる等の事故の心配もなくなる。
【図面の簡単な説明】
【図１】  従来の情報通信体の製造装置における裁断、加熱及び加圧処理工程を示す概略図を表す。
【図２】  本発明の挿入手段の概略図を表す。
【図３】  加熱、加圧処理の別の形態を示す概略図を表す。
【図４】  本実施例で使用する長尺シートの斜視図を表す。
【符号の説明】
Ｊ  ２つ折り葉書
Ｒ  搬送ローラ
Ｈ  ヒートプレート
Ｓ  スリット
１、２  ニップローラ
３  バックアップローラ
４  カットローラ
５  ヒーターカバー
６  加圧ローラ
７  ストッカ
８  ガイド
９  カバー
【図１】
2005053204.tif 000003
【図２】
2005053204.tif 000004
【図３】
2005053204.tif 000005
【図４】
2005053204.tif 000006